(57)【要約】【課題】設定された用紙サイズと実際に供給された用紙サイズとの不一致エラーがどのような原因により生じたかを判別し、それぞれ異なるエラー表示を行うことにより、エラーの解除操作の簡便化を図るとともに、サイズ不一致エラーが繰り返し発生することを防止できる記録装置を提供する。【解決手段】記録手段６と、用紙７を収納して記録手段６に供給する用紙供給手段９と、用紙供給手段９に収納されている用紙７のサイズの設定を保持するサイズ設定保持手段１９と、記録手段６に供給される用紙７のサイズを検出するサイズ検出手段１６と、記録手段６による記録動作中に、用紙サイズの設定と異なるサイズの用紙７をサイズ検出手段１６により検出した場合には、それまでの記録履歴に基づいて、サイズ設定保持手段１９の状態を確認するための処理、又は用紙供給手段９の状態を確認するための処理のいずれかを実行する制御手段１７とを備える。【選択図】　　　図１
2004145194.tif 000002
【特許請求の範囲】
【請求項１】
用紙に画像を記録する記録手段と、所定サイズの用紙を収納するとともにその用紙を前記記録手段に供給する用紙供給手段と、この用紙供給手段に収納されている用紙のサイズの設定を保持するサイズ設定保持手段と、前記用紙供給手段から前記記録手段に供給される用紙のサイズを検出するサイズ検出手段と、前記記録手段による画像の記録動作中に、前記サイズ設定保持手段に保持されている用紙サイズの設定と異なるサイズの用紙を前記サイズ検出手段により検出した場合には、前記記録手段によるそれまでの記録履歴に基づいて、前記サイズ設定保持手段の状態を確認するための処理、又は前記用紙供給手段の状態を確認するための処理のいずれかを実行する制御手段とを備えたことを特徴とする記録装置。
【請求項２】
前記記録手段において正常に画像の記録が行われた際にその情報を記録履歴として保持するとともに、前記用紙供給手段に新たな用紙を収納するための動作が行われた際にはその記録履歴を初期化して保持する記録履歴保持手段を備え、
前記制御手段は、前記記録手段による画像の記録動作中に、前記サイズ設定保持手段に保持されている用紙サイズの設定と異なるサイズの用紙を前記サイズ検出手段により検出した場合には、前記記録履歴保持手段に保持されている記録履歴を参照し、この記録履歴が初期状態である場合には、前記サイズ設定保持手段の状態を確認するための処理を実行し、この記録履歴が正常に画像の記録が行われたことを示す状態である場合には、前記用紙供給手段の状態を確認するための処理を実行することを特徴とする請求項１記載の記録装置。
【請求項３】
前記サイズ設定保持手段の状態を確認するための処理は、前記サイズ設定保持手段に保持されている用紙サイズの設定の情報と、この設定の変更のための情報とを表示する処理であり、前記用紙供給手段の状態を確認するための処理は、前記用紙供給手段に収納された用紙の収納状態の確認を求める情報を表示する処理であることを特徴とする請求項１又は２記載の記録装置。
【発明の詳細な説明】
【０００１】
【発明の属する技術分野】
本発明は、１又は２以上のサイズの用紙に画像を記録することが可能なコピー機、ファクシミリ装置、プリンタ等の記録装置であって、供給される用紙の各サイズを使用者が予め設定して使用する記録装置に関する。
【０００２】
【従来の技術】
従来、コピー機やファクシミリ装置等の記録装置に関して以下のような技術が開示されている。第１に、給紙される用紙のサイズを設定する手段と、搬送路で実際に搬送される用紙のサイズを検出するセンサと、用紙の搬送時間が所定時間を超えるときにジャムと判定するタイマ値が設定されるタイマとを備え、前記センサにより検出された用紙サイズが設定された用紙サイズと異なる場合には、前記ジャムと判定するタイマ値を用紙サイズに合わせて変更することにより、設定された用紙サイズと、実際に給紙された用紙サイズが相違している場合にも、正確にジャムを判定できるようにする技術が開示されている。また、この際に前記センサにより、給紙された用紙のサイズ長が不足又は超過することが検出された場合には、その旨のエラーメッセージを表示する技術も開示されている（例えば、特許文献１参照）。
【０００３】
第２に、記録紙搬送路に設けられた記録紙の有無を検知する記録紙有無検知手段と、給紙口に積載された記録紙のサイズを指定する記録紙サイズ指定手段と、前記記録紙有無検知手段を記録紙が通過する時間を計数する計数手段と、この計数手段による計数値が前記記録紙サイズ指定手段で指定された記録紙サイズに相当するか否かを判別する記録紙サイズ判別手段と、この記録紙サイズ判別手段でサイズが異なると認識した後は、前記記録紙サイズ指定手段で指定された記録紙のサイズを無視する不定形記録紙サイズ動作手段とを設けることにより、記録紙サイズの不一致が発生しても、両面搬送路で紙詰まりが発生しないようにするとともに、前記給紙口に積載された記録紙の有無を検知する積載記録紙有無検知手段を設け、前記不定形記録紙サイズ動作手段は、前記積載記録紙有無検知手段で記録紙無しを検知するまでその状態を保持し、次頁の給紙を行わない手段を設けることにより、記録紙サイズの不一致エラーが繰り返し発生する状態を解消する技術が開示されている（例えば、特許文献２参照）。
【０００４】
第３に、複数種サイズのうちのいずれかのサイズのシート状記録媒体を載置可能な載置手段と、この載置手段に載置された前記記録媒体を給紙する給紙手段と、装置外部より記録媒体のサイズを指定する指定手段と、複数の記録媒体を連続して印字する際に、前記指定手段より指定されたサイズに対応して定めてある記録媒体の給送、画像形成の制御に使用される第１のタイミングデータを選択する選択手段と、前記給紙手段によって給送される記録媒体のサイズを測定するサイズ測定手段と、前記指定手段によって指定された第１のサイズと前記サイズ測定手段によって測定された第２のサイズとが等しいか否かの判定を行う第１の制御手段と、この第１の制御手段によって前記第１のサイズと前記第２のサイズとが異なっていると判定された場合に、前記第１のタイミングを無効とし、予め定めてある第２のタイミングデータによって連続印字を行う第２の制御手段と、を有することにより、コントローラから指定された紙サイズと、実際に給紙されている用紙に対しセンサを用いて測定した紙サイズとが異なっている場合に、自動的にモード切換えを行って、予め定めておいたタイミングで印刷を続行することを可能とし、それによって、用紙サイズ変更等の煩雑な作業を行わずに、複数種のサイズの用紙を給紙可能なトレイから手軽に複数種の紙サイズを使い分けて印刷を行うことができる技術が開示されている（例えば、特許文献３参照）。
【０００５】
【特許文献１】
特開２００１−１５１３８３号公報（第２頁、第４−６頁）
【特許文献２】
特開平８−２０２２３４号公報（第１頁、第３頁、第３図）
【特許文献３】
特開平６−１４３７１３号公報（第２頁−第５頁）
【０００６】
【発明が解決しようとする課題】
以上のような従来の記録装置は、いずれも設定又は指定された用紙のサイズと、センサ等により検出された用紙のサイズとが異なる場合に、設定又は指定された用紙サイズを無視して動作させることにより、紙詰まりを防止し、或いは記録動作が中断されることを防止する技術である。そして、これらの従来の記録装置は、このようなサイズ不一致によるエラーが繰り返し発生することを防止するために、エラーメッセージの表示を行ったり、用紙が入れ替えられるまで次頁の給紙を行わない等の制御も行なう。
【０００７】
ところで、設定又は指定された用紙のサイズと、センサ等により検出される搬送された用紙のサイズとが異なるサイズ不一致エラーが生じる場合としては、用紙サイズの設定又は指定が誤っている場合と、用紙サイズの設定又は指定は正しいにも関わらず重送等により用紙のサイズが誤って検出された場合とが考えられる。しかしながら、従来のように、サイズ不一致エラーが生じた場合に、設定又は指定された用紙サイズを無視して用紙の搬送を行うとともにエラー表示等を行うのみでは、これらのいずれの原因による場合であっても、使用者は同じ手順によりエラーの解除操作を行う必要があり、操作性が悪いという問題があった。
【０００８】
本発明は、このような課題に鑑みてなされたものであり、どのような原因により用紙サイズの不一致エラーが生じたかを自動的に判別して、その原因によってそれぞれ異なるエラー表示を行うことにより、使用者によるエラーの解除操作の簡便化を図るとともに、そのようなサイズ不一致エラーが繰り返し発生することを防止できる記録装置を提供することを技術課題とするものである。
【０００９】
【課題を解決するための手段】
上記技術課題を解決するための具体的手段は、次のようなものである。すなわち、請求項１に記載する記録装置は、用紙に画像を記録する記録手段と、所定サイズの用紙を収納するとともにその用紙を前記記録手段に供給する用紙供給手段と、この用紙供給手段に収納されている用紙のサイズの設定を保持するサイズ設定保持手段と、前記用紙供給手段から前記記録手段に供給される用紙のサイズを検出するサイズ検出手段と、前記記録手段による画像の記録動作中に、前記サイズ設定保持手段に保持されている用紙サイズの設定と異なるサイズの用紙を前記サイズ検出手段により検出した場合には、前記記録手段によるそれまでの記録履歴に基づいて、前記サイズ設定保持手段の状態を確認するための処理、又は前記用紙供給手段の状態を確認するための処理のいずれかを実行する制御手段とを備えたことを特徴とするものである。
【００１０】
請求項２に記載する記録装置は、請求項１に記載する構成において、前記記録手段において正常に画像の記録が行われた際にその情報を記録履歴として保持するとともに、前記用紙供給手段に新たな用紙を収納するための動作が行われた際にはその記録履歴を初期化して保持する記録履歴保持手段を備え、前記制御手段は、前記記録手段による画像の記録動作中に、前記サイズ設定保持手段に保持されている用紙サイズの設定と異なるサイズの用紙を前記サイズ検出手段により検出した場合には、前記記録履歴保持手段に保持されている記録履歴を参照し、この記録履歴が初期状態である場合には、前記サイズ設定保持手段の状態を確認するための処理を実行し、この記録履歴が正常に画像の記録が行われたことを示す状態である場合には、前記用紙供給手段の状態を確認するための処理を実行することを特徴とするものである。
【００１１】
請求項３に記載する記録装置は、請求項１又は２に記載する構成において、前記サイズ設定保持手段の状態を確認するための処理は、前記サイズ設定保持手段に保持されている用紙サイズの設定の情報と、この設定の変更のための情報とを表示する処理であり、前記用紙供給手段の状態を確認するための処理は、前記用紙供給手段に収納された用紙の収納状態の確認を求める情報を表示する処理であることを特徴とするものである。
【００１２】
【発明の実施の形態】
以下、本発明の実施形態に係る記録装置１を、コピー機能、ファクシミリ機能、プリンタ機能、及びスキャナ機能を備えた複合機に適用した場合の実施の形態について図面に基づいて説明する。図１は、本発明の実施形態に係る記録装置１の全体の構成を示すブロック図であり、図２は、本発明の実施形態に係る記録装置１の全体を示す概略断面図である。
【００１３】
まず、本実施形態に係る記録装置１の全体の構成について、主として図１に基づいて説明する。原稿読取部２は、コピー、スキャン又はファクシミリ送信する原稿の画像を走査して画像データとして読み取るための部分である。ここでは、図２に示すように、ＣＣＤ（Ｃｈａｒｇｅ　Ｃｏｕｐｌｅｄ　Ｄｅｖｉｃｅ）を用いた電荷結合形イメージセンサや、密着形イメージセンサ等を用いた読取デバイス３、フラットベッドスキャナ（ＦＢＳ：ＦｌａｔＢｅｄ　Ｓｃａｎｎｅｒ）４、原稿自動供給装置（ＡＤＦ：Ａｕｔｏｍａｔｉｃ　Ｄｏｃｕｍｅｎｔ　Ｆｅｅｄｅｒ）５等を有して構成されている。
【００１４】
記録部６は、図２に示すように、用紙７に画像を記録するための部分であって、本実施形態では、この記録部６が本発明における記録手段を構成している。ここでは、記録部６は、その記録方式として電子写真方式を用いており、感光体ドラム８を含む電子写真方式の各種機構を有して構成されている。なお、記録部６の記録方式としては、これに限定されるものではなく、例えば、インクジェット記録方式や感熱記録方式等のこの分野で公知の各種の記録方式を用いることができる。
【００１５】
用紙供給部９は、所定サイズの用紙７を収納するとともに、その用紙７を記録部６に供給するための部分であって、本実施形態では、この用紙供給部９が本発明における用紙供給手段を構成している。ここでは、図２に示すように、用紙供給部９は、１又は２以上のサイズの用紙７を収納する用紙収納部１０と、この用紙収納部１０から記録部６へ用紙７を搬送する用紙搬送部１１とを有して構成されている。そして、この用紙収納部１０は、用紙７を収納するための機構として、記録装置１の本体に対して着脱可能に設けられた箱状部材であって、その内部に一定サイズの用紙７を積層状態で収納する用紙カセット１２を１個又は２個以上備えて構成される。この用紙カセット１２には、それぞれに用紙７が各サイズ毎に収納される。本実施形態においては、用紙供給部９が、この用紙カセット１２を５個備える場合について説明する。この明細書において「用紙７のサイズ」或いは「用紙サイズ」とは、例えば、Ａ３、Ａ４、Ａ４Ｒ、Ｂ４、Ｂ５、Ｂ５Ｒ等のような定形サイズ、或いは、その他のはがき、レター等のような各種サイズの用紙７の大きさ及び向きを表す概念である。また、用紙搬送部１１は、用紙７を搬送して記録部６に供給するための機構として、各用紙カセット１２毎に設けられて各用紙カセット１２から用紙７を１枚分離して取り出すピックアップローラ１３と、このピックアップローラ１３により取り出された用紙７を所定の搬送経路１４に沿って搬送する複数の搬送ローラ１５とを備えて構成される。
【００１６】
サイズ検出センサ１６は、用紙供給部９から記録部６に供給される用紙７のサイズを検出するセンサであって、本実施形態では、このサイズ検出センサ１６が本発明におけるサイズ検出手段を構成している。そして、図２に示すように、サイズ検出センサ１６は、用紙供給部９における各用紙カセット１２から取り出された用紙７のいずれもが通過する搬送経路１４上の位置、ここでは、用紙７の搬送経路１４における感光体ドラム８の手前の位置に配置され、この搬送経路１４を搬送される用紙７の始端及び終端の通過を検出するセンサにより構成される。したがって、このようなサイズ検出センサ１６としては、所定の検出位置において通過する用紙７の有無を検出することが可能なセンサが用いられ、例えば、反射形のフォトインタラプタ等の各種の光センサが好適に用いられる。
【００１７】
このサイズ検出センサ１６による用紙７のサイズの検出は、以下のようにして行われる。すなわち、サイズ検出センサ１６は、用紙搬送部１１の搬送ローラ１５により搬送経路１４に沿って搬送される用紙７の始端及び終端を検出することから、制御部１７は、用紙供給部９における１の用紙カセット１２が選択されて用紙７が記録部６に供給された際に、用紙７の始端が通過した時のサイズ検出センサ１６からの出力信号と、用紙７の終端が通過した時のサイズ検出センサ１６からの出力信号との間における搬送ローラ１５による用紙７の送り量を算出することにより、用紙７の搬送方向の長さを検出することができる。そして、このようにして検出された用紙７の搬送方向の長さを、後述するＲＡＭ（Ｒａｎｄｏｍ　Ａｃｃｅｓｓ　Ｍｅｍｏｒｙ）１８のサイズ設定保持領域１９に保持されている当該選択された用紙カセット１２について設定された用紙サイズにおける用紙７の搬送方向の長さと比較することにより、用紙供給部９から記録部６に搬送された用紙７のサイズが、サイズ設定保持領域１９に保持されている当該選択された用紙カセット１２についての用紙サイズの設定と同一であるか又は異なるかを検出することができる。
【００１８】
操作部２０は、使用者が記録装置１を使用する際に、記録装置１に対する動作指示や設定等の入力を行なうための部分であって、図示しないが、スタートキーやテンキー等の各種操作キーを有して構成されている。また、表示部２１は、記録装置１の動作状態や設定状態等の各種の情報を表示するための部分であって、ここでは、任意の文字や図形等を表示可能な液晶表示装置２２と、点灯又は消灯により記録装置１の状態等を表示可能なＬＥＤランプ２３とを有して構成されている。
【００１９】
画像メモリ２４は、原稿読取部２で読み取られた画像データやファクシミリ受信した画像データ等を格納するメモリである。また、コーデック（ＣＯＤＥＣ：Ｃｏｄｅｒ　ａｎｄ　Ｄｅｃｏｄｅｒ）２５は、画像メモリ２４に対する画像データの書込み及び読出しやファクシミリ送受信等のために画像データの符号化及び復号を行なう装置である。
【００２０】
網制御装置（ＮＣＵ）２６及びモデム２７は、記録装置１がファクシミリ送受信を行なうための公衆電話交換網（ＰＳＴＮ）２８との接続部分であって、網制御装置（ＮＣＵ）２６は、公衆電話交換網（ＰＳＴＮ）２８に対する接続制御を行なう装置であり、モデム２７は、ファクシミリ送受信される画像データの変調及び復調を行なう装置である。また、ＬＡＮインターフェース２９は、記録装置１をＬＡＮ（Ｌｏｃａｌ　Ａｒｅａ　Ｎｅｔｗｏｒｋ）３０に接続するためのインターフェースであって、記録装置１をプリンタ又はスキャナとして用いる際に、ＬＡＮ３０を介して記録装置１とコンピュータ（ＰＣ）３１との接続を行なう。
【００２１】
制御部１７は、記録装置１の各部の動作制御を行う部分であり、本実施形態では、この制御部１７が本発明における制御手段を構成している。ここでは、制御部１７は、ＭＰＵ（Ｍｉｃｒｏｐｒｏｃｅｓｓｉｎｇ　Ｕｎｉｔ）３２と、ＲＡＭ１８と、ＲＯＭ（Ｒｅａｄ　Ｏｎｌｙ　Ｍｅｍｏｒｙ）３３とを有して構成されている。ここで、ＭＰＵ３２は、バス３４を介して記録装置１を構成する各部と接続されており、これらの各部の動作制御を行なう演算処理回路である。
【００２２】
ＲＡＭ１８は、記録装置１の動作処理に用いる設定情報や動作情報等の各種データを読出し及び書込み可能な状態で格納するメモリである。本実施形態においては、ＲＡＭ１８には、サイズ設定保持領域１９と、記録履歴保持領域３５が設けられている。ここで、サイズ設定保持領域１９は、用紙供給部９に収納されている用紙７のサイズの設定を保持するための記憶領域であって、このサイズ設定保持領域１９の中に、用紙供給部９の用紙収納部１０を構成する各用紙カセット１２に収納されている用紙７のサイズについての設定情報が保持される。本実施形態では、このサイズ設定保持領域１９が本発明におけるサイズ設定保持手段を構成している。また、このサイズ設定保持領域１９に保持される用紙サイズの設定情報としては、前述のサイズ検出センサ１６が用紙７の搬送方向の長さを検出することから、これと比較することができるようにするために、具体的には、各用紙カセット１２に収納されている各サイズの用紙７の搬送方向の長さに関する情報を保持することとすると好適である。なお、このサイズ設定保持領域１９に保持する用紙７のサイズの設定は、後述する用紙サイズ設定プログラム３６に従って動作するＭＰＵ３２が表示部２１に表示する所定の入力画面（図３参照）に従い、使用者が操作部２０を操作して用紙供給部９の各用紙カセット１２に収納されている用紙７のサイズを入力することにより行われるが、この点については用紙サイズ設定プログラム３６の説明において詳しく説明する。
【００２３】
また、記録履歴保持領域３５は、記録部６において正常に画像の記録が行われた際にその情報を記録履歴として保持するとともに、用紙供給部９に新たな用紙を収納するための動作が行われた際にはその記録履歴を初期化して保持するための記憶領域である。本実施形態では、この記録履歴保持領域３５が本発明における記録履歴保持手段を構成している。本実施形態においては、制御部１７のＭＰＵ３２が、記録部６の動作を監視して記録部６において正常に用紙７に画像の記録が行われた際に、その記録枚数を計数してその計数値を記録履歴として記録履歴保持領域３５に保持させるとともに、用紙供給部９に新たな用紙を収納するための動作として、用紙供給部９の用紙収納部１０を構成する各用紙カセット１２の開閉が行われた際には、用紙７の入れ替え、追加等が行われたものとして記録履歴を初期化して「０」に戻す動作処理を行う。
【００２４】
ＲＯＭ３３は、ＭＰＵ３２の動作処理に必要な各種の動作プログラム等を格納するメモリである。このＲＯＭ３３に格納されている動作プログラムとしては、本実施形態においては、用紙サイズ設定プログラム３６と、サイズエラー表示プログラム３７とが含まれる。ここで、用紙サイズ設定プログラム３６は、用紙供給部９に収納されている用紙７のサイズの設定を行うための処理をＭＰＵ３２に実行させるためのプログラムである。本実施形態においては、図３に示すように、用紙サイズ設定プログラム３６に従って動作するＭＰＵ３２は、操作部２０から用紙サイズの設定を行う旨の命令が入力された場合には、まず用紙カセット選択画面３８を表示する。この用紙カセット選択画面３８は、ここでは、１の用紙カセット１２の選択を促すメッセージ、選択可能な用紙カセット１２の一覧、サイズ設定保持領域１９に保持されている各用紙カセット１２についての用紙サイズの設定、１の用紙カセットを選択するための入力キーを示すカセット選択ボタン３９、選択された用紙カセットを決定するための入力キーを示すセットボタン４０等を含む情報が表示される。そして、この用紙カセット選択画面３８において１の用紙カセット１２が選択されてセットボタン４０に対応する操作部２０の操作キーが操作された場合には、用紙サイズ設定画面４１を表示する。この用紙サイズ設定画面４１には、ここでは、選択された用紙カセット１２についての用紙サイズの選択を促すメッセージ、サイズ設定保持領域１９に保持されている各用紙カセット１２についての用紙サイズの設定、選択可能な用紙サイズ、１の用紙サイズを選択するための入力キーを示す用紙選択ボタン４２、選択された用紙サイズを決定するための入力キーを示すセットボタン４３等を含む情報が表示される。そして、ここで１の用紙サイズが選択されてセットボタン４３に対応する操作部２０の操作キーが操作された場合には、当該選択された用紙サイズを選択された用紙カセット１２に収納されている用紙７のサイズとして設定し、ＲＡＭ１８のサイズ設定保持領域１９に保持させるとともに、待機画面４４を表示する。なお、ここでは、これらの各画面の表示は、表示部２１の液晶表示装置２２により行う。
【００２５】
また、サイズエラー表示プログラム３７は、記録部６による用紙７への画像の記録動作中に、ＲＡＭ１８のサイズ設定保持領域１９に保持されている用紙サイズの設定と異なるサイズの用紙７をサイズ検出センサ１６により検出した場合に、ＲＡＭ１８の記録履歴保持領域３５に保持されている記録部６によるそれまでの記録履歴に基づいて、サイズ設定保持領域１９の状態を確認するための処理、又は用紙供給部９の状態を確認するための処理のいずれかを実行する制御をＭＰＵ３２に実行させるためのプログラムである。ここでは、ＭＰＵ３２は、記録部６による用紙７への画像の記録動作中に、ＲＡＭ１８のサイズ設定保持領域１９に保持されている用紙サイズの設定と異なるサイズの用紙７をサイズ検出センサ１６により検出した場合には、記録履歴保持領域３５に保持されている記録履歴を参照し、この記録履歴が初期状態である場合には、サイズ設定保持領域１９の状態を確認するための処理を行い、この記録履歴が正常に画像の記録が行われたことを示す状態である場合には、用紙供給部９の状態を確認するための処理を行う。ここで、サイズ設定保持領域１９の状態を確認するための処理は、サイズ設定保持領域１９に保持されている用紙サイズの設定の情報と、この設定の変更のための情報とを表示する処理であり、用紙供給部９の状態を確認するための処理は、用紙供給部９の用紙カセット１２に収納された用紙７の収納状態の確認を求める情報を表示する処理である。このようなサイズエラー表示プログラム３７に基づいて動作する記録装置１の具体的な動作処理は、以下にフローチャートを用いて詳細に説明する。
【００２６】
図４及び図５は、本実施形態に係る記録装置１において、記録動作中に用紙サイズエラーが生じた場合に行う動作制御を示すフローチャートであり、図６は、このような用紙サイズエラーが生じた場合に表示部２１に表示される処理画面の具体例を示す図である。なお、図４及び図５において、丸で囲まれた「Ａ」の記号は、それぞれの図における同じ記号と連続するものとする。また、このフローチャートに示す記録装置１の各部の動作は、ＲＯＭ３３に記憶されているサイズエラー表示プログラム３７等の動作プログラムに従って動作するＭＰＵ３２の制御の下に行なわれる。
【００２７】
まず、用紙７に画像を記録する記録動作が開始したか否かについて判断する（Ｓ１）。記録動作の開始は、使用者が操作部２０を操作して、原稿読取部２で読み取られた画像データやファクシミリ受信した画像データ等の用紙７への記録を開始する命令が入力されることにより行われる。記録動作を開始しない場合には（Ｓ１：ＮＯ）、そのまま待機する。そして、記録動作を開始した場合には（Ｓ１：ＹＥＳ）、その画像データの画像サイズ及び出力倍率に基づいて決定される用紙サイズに適合するサイズの用紙７が収納された一の用紙カセット１２を用紙供給部９から選択し、その用紙カセット１２から用紙７を記録部６に供給する（Ｓ２）。次に、当該選択された用紙カセット１２から記録部６に供給される用紙７のサイズをサイズ検出センサ１６により検出する（Ｓ３）。この際のサイズの検出方法は上述の通りである。
【００２８】
そして、用紙サイズエラーに該当するか否かについて判断する（Ｓ４）。この用紙サイズエラーに該当するか否かは、サイズ検出センサ１６により検出された用紙サイズが、サイズ設定保持領域１９に保持されている当該選択された用紙カセット１２についての用紙サイズの設定と同一であるか否かに基づいて判断し、同一でない場合には用紙サイズエラーに該当すると判定する。用紙サイズエラーに該当しない場合には（Ｓ４：ＮＯ）、画像データの画像サイズ及び出力倍率に基づいて決定される用紙サイズに適合するサイズの用紙７が正常に記録部６に供給されたと判断することができるので、画像データの画像を用紙７に記録して（Ｓ５）、処理は終了する。
【００２９】
一方、用紙サイズエラーに該当する場合には（Ｓ４：ＹＥＳ）、サイズ検出センサ１６により検出された用紙サイズが、サイズ設定保持領域１９に保持されている当該選択された用紙カセット１２についての用紙サイズの設定と異なっている、すなわち、画像データの画像サイズ及び出力倍率に基づいて決定される用紙サイズに適合するサイズの用紙７が正常に記録部６に供給されなかったと判断することができるので、次に、用紙７が正常に供給されなかった原因を推定するために、ＲＡＭ１８の記録履歴保持領域３５に保持されている記録履歴を参照する（Ｓ６）。本実施形態においては、上述の通り、記録部６において正常に用紙７に画像の記録が行われた際に、その記録枚数を計数してその計数値を記録履歴として記録履歴保持領域３５に保持させるとともに、用紙供給部９に新たな用紙を収納するための動作として、用紙供給部９の用紙収納部１０を構成する各用紙カセット１２が開かれた際には、用紙７の入れ替え、追加等が行われたものとして記録履歴を初期化して「０」に戻す動作処理を行う。そこで、この記録履歴が初期状態、すなわち「０」であるか否かについて判断する（Ｓ７）。
【００３０】
この記録履歴が初期状態の「０」である場合には（Ｓ７：ＹＥＳ）、サイズエラーが発生した際の記録履歴の状態は、選択された用紙カセット１２の開閉が行われ、その用紙カセット１２に対する用紙７の入れ替え、追加等が行われてからはじめて記録動作が行われたことを示す状態であると判断することができる。そして、このような用紙カセット１２の開閉が行われた場合には、その用紙カセット１２に収納される用紙７のサイズが変更されること等により、サイズ設定保持領域１９に保持されている用紙サイズの設定と実際に用紙カセット１２に収納されている用紙７のサイズとが一致しないことになる場合が想定される。したがって、この場合には、用紙サイズエラーが発生したのは、サイズ設定保持領域１９に保持されている当該選択された用紙カセット１２についての用紙サイズの設定が、当該選択された用紙カセット１２に実際に収納されている用紙７のサイズと異なることが原因である可能性が高いと推定することができる。
【００３１】
そこで、サイズ設定保持領域１９の状態を確認するための処理を行う。ここで、サイズ設定保持領域１９の状態を確認するための処理とは、サイズ設定保持領域１９に保持されている用紙サイズの設定の情報と、この設定の変更のための情報とを表示する処理であり、本実施形態においては、まず、サイズ設定エラー画面４５を表示部２１の液晶表示装置２２に表示する（Ｓ８）。ここでは、図６に示すように、このサイズ設定エラー画面４５には、用紙サイズの設定が違う旨のメッセージ、サイズ設定保持領域１９に保持されている各用紙カセット１２についての用紙サイズの設定、用紙サイズエラーが発生した当該選択された用紙カセット１２、用紙サイズの設定の変更を行う処理に進むための入力キーを示すサイズ変更ボタン４６等を含む情報が表示される。
【００３２】
その後、サイズ設定エラー画面４５が表示されている状態において、サイズ変更ボタン４６に対応する操作部２０の操作キーが操作されたか、又は図示しない操作部２０のリセットキー又はストップキーが操作されたかについて判断する（Ｓ９）。そして、操作部２０のリセットキー又はストップキーが操作された場合には（Ｓ９：リセット／ストップ）、サイズ設定保持領域１９に保持されている当該選択された用紙カセット１２についての用紙サイズの設定を変更しない操作が使用者により行われたと判断することができるので、待機画面４４を表示部２１の液晶表示装置２２に表示する（Ｓ１３）。ここでは、図６に示すように、この待機画面４４には、記録装置１が記録動作の待機中である旨のメッセージ、ここではコピー機能を用いている場合の例として「コピーできます」というメッセージ、現在の出力倍率や記録部数の設定等を含む情報が表示される。一方、サイズ設定エラー画面４５のサイズ変更ボタン４６に対応する操作部２０の操作キーが操作された場合には（Ｓ９：サイズ変更）、次に、サイズ設定保持領域１９に保持されている当該選択された用紙カセット１２についての用紙サイズの設定を行うための用紙サイズ設定画面４１を表示部２１の液晶表示装置２２に表示する（Ｓ１０）。ここでは、図６に示すように、この用紙サイズ設定画面４１には、選択された用紙カセット１２についての用紙サイズの選択を促すメッセージ、サイズ設定保持領域１９に保持されている各用紙カセット１２についての用紙サイズの設定、選択可能な用紙サイズ、１の用紙サイズを選択するための入力キーを示す用紙選択ボタン４２、選択された用紙サイズを決定するための入力キーを示すセットボタン４３等を含む情報が表示される。
【００３３】
その後、用紙サイズ設定画面４１が表示されている状態において、セットボタン４３に対応する操作部２０の操作キーが操作されたか、又は図示しない操作部２０のリセットキー又はストップキーが操作されたかについて判断する（Ｓ１１）。そして、操作部２０のリセットキー又はストップキーが操作された場合には（Ｓ１１：リセット／ストップ）、サイズ設定保持領域１９に保持されている当該選択された用紙カセット１２についての用紙サイズの設定の変更を中止する操作が使用者により行われたと判断することができるので、待機画面４４を表示部２１の液晶表示装置２２に表示する（Ｓ１３）。一方、用紙サイズ設定画面４１のセットボタン４３に対応する操作部２０の操作キーが操作された場合には（Ｓ１１：セット）、当該選択された用紙カセット１２についての用紙サイズの設定が決定されたと判断することができるので、用紙サイズ設定画面４１において、用紙選択ボタン４２に対応する操作部２０の操作キーにより選択された用紙サイズを、サイズ設定保持領域１９に保持されている当該選択された用紙カセット１２についての用紙サイズの設定として格納する（Ｓ１２）。その後、待機画面４４を表示部２１の液晶表示装置２２に表示する（Ｓ１３）。
【００３４】
一方、記録履歴保持領域３５に保持されている記録履歴が初期状態の「０」でない場合、すなわち記録履歴としての記録枚数の計数値が「１」以上である場合には（Ｓ７：ＮＯ）、サイズエラーが発生した際の記録履歴の状態は、記録部６において１枚以上の用紙７に正常に画像の記録が行われたことを示す状態、すなわち、選択された用紙カセット１２からサイズ設定保持領域１９に保持されている当該選択された用紙カセット１２についての用紙サイズの設定と同じサイズの用紙７が記録部６に正常に供給され、１枚以上の用紙７に対して既に記録動作が行われたことを示す状態であると判断できる。したがって、サイズ設定保持領域１９に保持されている当該選択された用紙カセット１２についての用紙サイズの設定は、当該選択された用紙カセット１２に実際に収納されている用紙７のサイズが正しく設定されており、用紙サイズエラーが発生したのは、重送や紙詰まり等により用紙７を正常に搬送できなかったために、サイズ検出センサ１６により実際の用紙７のサイズと異なるサイズとして検出されたことが原因である可能性が高いと推定することができる。
【００３５】
そこで、用紙供給部９の状態を確認するための処理を行う。ここで、用紙供給部９の状態を確認するための処理とは、用紙供給部９の用紙カセット１２に収納された用紙の収納状態の確認を求める情報を表示する処理であり、本実施形態においては、エラー確認画面４７を表示部２１の液晶表示装置２２に表示する（Ｓ１４）。ここでは、図６に示すように、このエラー確認画面４７には、用紙サイズエラーが発生した当該選択された用紙カセット１２、当該選択された用紙カセット１２を開けて用紙の収納状態を確認することを求めるメッセージ等を含む情報が表示される。
【００３６】
その後、エラー確認画面４７が表示されている状態において、図示しない操作部２０のリセットキー若しくはストップキーが操作され、又は用紙サイズエラーが発生した当該選択された用紙カセット１２の開閉動作が行われたか否かについて判断する（Ｓ１５）。操作部２０のリセットキー若しくはストップキーが操作され、又は用紙サイズエラーが発生した当該選択された用紙カセット１２の開閉動作が行われない場合には（Ｓ１５：ＮＯ）、このエラー確認画面４７を表示した状態で待機する。一方、操作部２０のリセットキー若しくはストップキーが操作され、又は用紙サイズエラーが発生した当該選択された用紙カセット１２の開閉動作が行われた場合には（Ｓ１５：ＹＥＳ）、用紙カセット１２における用紙７の収納状態の確認や重送や紙詰まり等の確認などが使用者により行われたと判断することができるので、待機画面４４を表示部２１の液晶表示装置２２に表示する（Ｓ１３）。この待機画面４４が表示されている状態は、記録装置１の通常の状態であって、この状態で操作部２０において所定の操作が行われた場合には記録動作が開始されることとなる。
【００３７】
なお、本実施形態においては、用紙供給部９の用紙収納部１０を構成するすべての用紙カセット１２について、その中に収納される用紙７のサイズの設定を使用者が操作部２０を操作して入力することにより行うこととして説明したが、一部の用紙カセット１２が収納された用紙７のサイズを自動的に認識する機能を備えている場合にも、本発明を適用することができる。この場合、そのような用紙サイズを自動的に認識する機能を備えた用紙カセット１２から用紙７により用紙サイズエラーが発生した場合には、サイズ設定保持領域１９に保持されている当該用紙カセット１２についての用紙サイズの設定が、当該用紙カセット１２に実際に収納されている用紙７のサイズと異なることはほとんど想定できないため、記録履歴保持領域３５に保持されている記録履歴を参照する処理（Ｓ６）を行うことなく、エラー確認画面４７を表示部２１の液晶表示装置２２に表示する処理（Ｓ１４）を行うと好適である。
【００３８】
【発明の効果】
以上説明したように、本発明の請求項１に係る記録装置によれば、記録手段による画像の記録動作中に、サイズ設定保持手段に保持されている用紙サイズの設定と異なるサイズの用紙をサイズ検出手段により検出した場合には、記録手段によるそれまでの記録履歴に基づいて、サイズ設定保持手段の状態を確認するための処理、又は用紙供給手段の状態を確認するための処理のいずれかを実行することにより、どのような原因により用紙サイズエラーが生じたかに基づいてそれぞれ適切な処理、具体的には、用紙サイズエラーが発生した原因がサイズ設定保持手段に保持されている用紙サイズの設定が用紙供給手段に収納されている用紙のサイズと異なるためである可能性が高い場合には、サイズ設定保持手段の状態を確認するための処理を行い、その原因が重送や紙詰まり等により用紙を正常に搬送できなかったためである可能性が高い場合には、用紙供給手段の状態を確認するための処理を行うことができるので、使用者によるエラーの解除操作の簡便化を図るとともに、そのような用紙サイズエラーが繰り返し発生することを容易に防止することができる。
【００３９】
本発明の請求項２に係る記録装置によれば、上述の効果に加えて、記録手段による画像の記録動作中に、サイズ設定保持手段に保持されている用紙サイズの設定と異なるサイズの用紙をサイズ検出手段により検出した場合には、記録履歴保持手段に保持されている記録履歴を参照し、この記録履歴が初期状態である場合には、サイズ設定保持手段の状態を確認するための処理を実行し、この記録履歴が正常に画像の記録が行われたことを示す状態である場合には、用紙供給手段の状態を確認するための処理を実行することにより、どのような原因により用紙サイズエラーが生じたかを自動的に判別し、その原因によってそれぞれ異なる適切な処理、具体的には、用紙サイズエラーが発生した原因がサイズ設定保持手段に保持されている用紙サイズの設定が用紙供給手段に収納されている用紙のサイズと異なるためである可能性が高い場合には、サイズ設定保持手段の状態を確認するための処理を行い、その原因が重送や紙詰まり等により用紙を正常に搬送できなかったためである可能性が高い場合には、用紙供給手段の状態を確認するための処理を行うことになるので、使用者によるエラーの解除操作の簡便化を図るとともに、そのような用紙サイズエラーが繰り返し発生することを容易に防止することができる。
【００４０】
本発明の請求項３に係る記録装置によれば、上述の効果に加えて、サイズ設定保持手段の状態を確認するための処理は、サイズ設定保持手段に保持されている用紙サイズの設定の情報と、この設定の変更のための情報とを表示する処理であり、用紙供給手段の状態を確認するための処理は、用紙供給手段に収納された用紙の収納状態の確認を求める情報を表示する処理であることにより、用紙サイズエラーが発生した原因がサイズ設定保持手段に保持されている用紙サイズの設定が用紙供給手段に収納されている用紙のサイズと異なるためである可能性が高い場合には、サイズ設定保持手段に保持されている用紙サイズの設定の確認及び変更を容易に行うことができるように処理を行い、その原因が重送や紙詰まり等により用紙を正常に搬送できなかったためである可能性が高い場合には、用紙供給手段に収納されている用紙の状態の確認を求める処理を行うことができるので、使用者によるエラーの解除操作の簡便化を図るとともに、そのような用紙サイズエラーが繰り返し発生することを容易に防止することができる。
【図面の簡単な説明】
【図１】本発明の実施形態に係る記録装置の全体の構成を示すブロック図である。
【図２】本発明の実施形態に係る記録装置の全体を示す概略断面図である。
【図３】本発明の実施形態に係る記録装置において、用紙サイズの設定の際に表示される処理画面の具体例を示す図である。
【図４】本発明の実施形態に係る記録装置において、記録動作中に用紙サイズエラーが生じた場合に行う動作制御を示すフローチャートの前半部分である。
【図５】本発明の実施形態に係る記録装置において、記録動作中に用紙サイズエラーが生じた場合に行う動作制御を示すフローチャートの後半部分である。
【図６】本発明の実施形態に係る記録装置において、用紙サイズエラーが生じた場合に表示される処理画面の具体例を示す図である。
【符号の説明】
１　記録装置
２　原稿読取部
６　記録部
７　用紙
９　用紙供給部
１０　用紙収納部
１１　用紙搬送部
１２　用紙カセット
１４　搬送経路
１６　サイズ検出センサ
１７　制御部
１８　ＲＡＭ
１９　サイズ設定保持領域
２０　操作部
２１　表示部
３２　ＭＰＵ
３３　ＲＯＭ
３５　記録履歴保持領域
３６　用紙サイズ設定プログラム
３７　サイズエラー表示プログラム
３８　用紙カセット選択画面
４１　用紙サイズ設定画面
４４　待機画面
４５　サイズ設定エラー画面
４７　エラー確認画面
【図１】
2004145194.tif 000003
【図２】
2004145194.tif 000004
【図３】
2004145194.tif 000005
【図４】
2004145194.tif 000006
【図５】
2004145194.tif 000007
【図６】
2004145194.tif 000008